(57)【特許請求の範囲】
【請求項１】
基地局を介さない近距離無線通信により第１の他の端末と通信接続され、基地局を介した通信により第２の他の端末と通信接続され、前記第１の他の端末と前記第２の他の端末との間の通信を中継する端末装置であって、
第１の他の端末と近距離無線通信するための信号を送受信する近距離無線通信部と、
第１の他の端末の電話番号を記憶する第１の記憶部と、
記憶している第１の他の端末の電話番号と自端末装置の電話番号それぞれについて、発呼時に通知するか否かを示す通知設定情報を記憶する第２の記憶部と、
第１の他の端末と第２の他の端末との通話を前記近距離無線通信により中継する場合に、前記通知設定情報に従って前記第２の他の端末への発呼時に前記第１の他の端末および自端末装置の発信者番号の通知を制御する通知制御部と、
ユーザの操作を受け付ける操作部と、を備え、
前記操作部は、前記近距離無線通信の確立時に、前記通知設定情報の入力をユーザから受け付け、
前記第２の記憶部は、前記操作部により受け付けた通知設定情報を記憶する、
端末装置。
【請求項２】
前記第２の記憶部で記憶される通知設定情報には、発呼時に通知する電話番号の優先順位が含まれており、
前記通知制御部は、発呼時の制御チャネル内の第１発信者番号および第２発信者番号の領域に、前記優先順位に従って電話番号を格納して前記発呼を行う、
請求項１記載の端末装置。
【請求項３】
前記第２の記憶部は、ユーザが折り返し電話を希望する優先順位に基づいて電話番号を記憶しており、
前記通知制御部は、当該優先順位に従って、前記制御チャネル内の第１発信者番号および第２発信者番号の領域に電話番号を格納して前記発呼する、
請求項２記載の端末装置。
【請求項４】
第１の端末装置、第２の端末装置、第３の端末装置からなる移動体通信システムであって、
前記第１の端末装置は、基地局を介さない近距離無線通信により前記第２の端末装置と通信接続され、前記第２の端末装置は、前記第３の端末装置と基地局を介した通信により通信接続され、かつ前記第１の端末装置と前記第３の端末装置との間の通信を中継するものであり、
前記第１の端末装置は、
第２の端末装置と近距離無線通信するための信号を送受信する第１の近距離無線通信部
と、
自端末装置の電話番号を記憶する第１の記憶部と、
前記第１の近距離無線通信部により確立した前記第２の端末装置との近距離無線通信により前記第２の端末装置に発呼の中継を指示し、前記第１の近距離無線通信部により自端末装置の電話番号を前記第２の端末装置に送信する第１の通知制御部を備え、
前記第２の端末装置は、
第１の端末装置と近距離無線通信するための信号を送受信する第２の近距離無線通信部と、
電話番号を記憶するとともに、第１の端末装置の電話番号と自端末装置の電話番号それぞれについて、発呼時に通知するか否かを示す通知設定情報を記憶する第２の記憶部と、
前記第１の端末装置と前記第３の端末装置との通信を前記近距離無線通信により中継する場合に、前記通知設定情報に従って前記第３の端末装置への発呼時に第１の端末装置および自端末装置の発信者番号の通知を制御する第２の通知制御部を備え、
前記第３の端末装置は、
電話帳を記憶する第３の記憶部と、
発呼があったとき、１の発呼にかかる制御チャネル内の所定の領域に含まれる複数の発信者番号を取得する取得部と、
取得した複数の発信者番号と、記憶している電話帳とに基づいて、いずれかの発信者番号を優先して着信の報知方法を制御する制御部と、
を備える移動体通信システム。
【発明の詳細な説明】
【技術分野】
【０００１】
本発明は、複数の端末装置からなる移動体通信システム、端末装置、通信中継方法に関するものであり、特に、１の端末装置が他の端末装置と近距離無線通信により通信し、近距離無線通信により通話を中継する場合に関する。
【背景技術】
【０００２】
近年、無線通信端末の機能がユーザの様々な用途に応えるべく多様化してきており、複数台の端末を所有して機能を使い分けているユーザも増えてきている。例えば、データ通信と通話とをそれぞれ別の端末で使い分ける場合がある。２台の無線通信端末のうち、一方をＷｅｂやメール閲覧に用いつつ、他方を通話用として用いることができる。
【０００３】
具体的な構成の例としては、この２台の端末をBluetooth（登録商標）などの近距離無線通信で接続して、一方の端末を他方の端末のハンドセットとして用いる技術が知られている。
【０００４】
例えば、ユーザがスマートフォンとＰＨＳ（Personal Handy-phone System）の２台の端末を所有し、Bluetooth（登録商標）ハンドセット機能を利用することで、ＰＨＳをスマートフォンのハンドセットとして利用することができる。スマートフォンは、大型のタッチパネルを備えることが多く、ＷＥＢ閲覧やアプリの視認性には便利である。一方、通話をするには、比較的軽く小さいＰＨＳの方が優れていることがある。
【０００５】
このような場合に、ユーザは、Ｗｅｂのブラウジングやアプリはスマートフォンで行いつつ、スマートフォンにかかってきた着信に対しても、コンパクトで軽いＰＨＳで通話する、などが可能となる。
【先行技術文献】
【非特許文献】
【０００６】
【非特許文献１】株式会社ウィルコム  プレスリリース（2011年9月21日）「ウィルコム２０１１年秋冬モデルについて」、[平成23年10月17日検索]、インターネット（URL:http://www.willcom-inc.com/ja/corporate/press/2011/09/21/index.html）
【発明の概要】
【発明が解決しようとする課題】
【０００７】
ところで、通常、無線通信端末は、着信時に通知される発信者番号に基づいた処理を行う場合が多い。例えば、着信時に、発信者番号が電話帳に登録されているものであれば、無線通信端末は、電話帳に登録されている人物の名前を表示したり、特定の着信音で鳴動させたり、特定の色でディスプレイを発光させたりする。また着信履歴をユーザが参照した時に、電話帳に登録されている電話番号であれば、着信履歴に名前を表示する等もよく行われている。このように、発信者番号に応じた処理が無線通信端末でなされることにより、ユーザにとっては便利なことが多い。
【０００８】
しかしながら、上記のように、ユーザが２台の無線通信端末を用いて、各端末を近距離無線通信で接続し、一方の端末（主端末）からの指示に基づいて他方の端末（従端末）が発呼処理を行う場合、ユーザが通知を希望する電話番号がいずれの端末のものであるかにかかわらず、着信側の端末に通知されるのは、上記の他方の端末（従端末）の電話番号となる、という問題点がある。そのため、着信側のユーザにとっては、発信者番号に応じた処理が有効に機能しないおそれがあり、利便性が損なわれるおそれがある。
【０００９】
例えば、ＰＨＳとスマートフォンの２台の無線通信端末をユーザが所有し、ユーザが通話用にＰＨＳを用いているとする。ＰＨＳが通話圏外となった場合はスマートフォンと近距離無線通信で接続し、スマートフォンの無線通信ネットワークを用いて発呼をするとする。この場合、通話相手先への発信者番号の通知がスマートフォンのものとなる。
【００１０】
その結果、着信側の端末には、スマートフォンの番号が表示され、着信履歴にはスマートフォンの番号が記録される。発信側の端末のユーザが、ＰＨＳの番号のみを他のユーザに周知させていた場合、着信側の端末には、スマートフォンの番号が表示され、誰からの着信であるか直ちに判別することができない。また発呼をするユーザにとっても、本来は通話用に用いているＰＨＳの電話番号への折り返し電話を期待するとしても、スマートフォンの電話番号が通知されてしまい、必ずしもユーザの希望に沿った発信者番号通知が行われないという課題がある。着信側のユーザにとっても、着信履歴を用いた操作（折り返し発信など）を行う際に不便になる。
【００１１】
そこで、本発明は、無線通信端末端末間で近距離無線通信を行って、近距離無線通信を介して一方の端末が他方の端末の通話を中継する場合においても、着信側の端末に対し、発信者電話番号の通知をユーザの意図したとおりにする移動体通信システムを提供することを目的とする。
【課題を解決するための手段】
【００１２】
本発明は、上記課題を解決するため、以下の構成を備える。すなわち、基地局を介さない近距離無線通信により第１の他の端末と通信接続され、基地局を介した通信により第２の他の端末と通信接続され、第１の他の端末と第２の他の端末との間の通信を中継する端末装置であって、第１の他の端末と近距離無線通信するための信号を送受信する近距離無線通信部と、第１の他の端末の電話番号を記憶する第１の記憶部と、記憶している第１の他の端末の電話番号と自端末装置の電話番号それぞれについて、発呼時に通知するか否かを示す通知設定情報を記憶する第２の記憶部と、第１の他の端末と第２の他の端末との通話を近距離無線通信により中継する場合に、通知設定情報に従って第２の他の端末への発呼時に第１の他の端末および自端末装置の発信者番号の通知を制御する通知制御部とを備える。
【００１３】
好ましくは、端末装置は、ユーザの操作を受け付ける操作部を備え、操作部は、通知設定情報の入力をユーザから受け付け、第２の記憶部は、操作部により受け付けた通知設定情報を記憶することとしてもよい。
【００１４】
好ましくは、操作部は、近距離無線通信の確立時に、通知設定情報の入力をユーザから受け付けることとしてもよい。
【００１５】
好ましくは、第２の記憶部で記憶される通知設定情報には、発呼時に通知する電話番号の優先順位が含まれており、通知制御部は、発呼時の制御チャネル内の第１発信者番号および第２発信者番号の領域に、優先順位に従って電話番号を格納して発呼を行うこととしてもよい。
【００１６】
好ましくは、第２の記憶部は、ユーザが折り返し電話を希望する優先順位に基づいて電話番号を記憶しており、通知制御部は、当該優先順位に従って、制御チャネル内の第１発信者番号および第２発信者番号の領域に電話番号を格納して発呼することとしてもよい。
【００１７】
また、本発明は、基地局を介さない近距離無線通信により第１の他の端末と通信接続される端末装置であって、第１の他の端末は、第２の他の端末と基地局を介した通信により通信接続され、かつ端末装置と第２の他の端末との間の通信を中継し、端末装置は、第１の他の端末と近距離無線通信するための信号を送受信する近距離無線通信部と、基地局との通信が通信可能圏外か否かを判定する判定部と、判定部により圏外と判定された場合に、近距離無線通信部により確立した第１の他の端末との近距離無線通信により当該第１の他の端末に発呼の中継を指示する通知制御部を備え、通知制御部は、近距離無線通信により自端末装置の電話番号を第１の他の端末に送信する端末装置でもある。
【００１８】
また、本発明は、第１の他の端末と基地局を介した通信による通信接続される端末装置であって、第１の他の端末は、基地局を介さない近距離無線通信により第２の他の端末と通信接続され、かつ第２の他の端末と端末装置との間の通信を中継し、端末装置は、電話帳を記憶する記憶部と、発呼があったとき、１の発呼にかかる制御チャネル内に含まれる複数の発信者番号を取得する取得部と、取得した複数の発信者番号と、記憶している電話帳とに基づいて、いずれかの発信者番号を優先して着信の報知方法を制御する制御部とを備える端末装置でもある。
【００１９】
好ましくは、制御部は、取得した複数の発信者番号が、電話帳に登録されているか判定する判定部を含み、発信者番号の少なくともいずれかが電話帳に登録されていると判定された場合、当該登録にかかる電話番号に対応付けられた着信報知方法に従って着信を報知することとしてもよい。
【００２０】
好ましくは、制御部は、取得される複数の発信者番号のうち、制御チャネル内の所定の領域に含まれる１の電話番号に対応付けられた着信報知方法に従って着信を報知することとしてもよい。
【００２１】
好ましくは、制御部は、取得部が取得した複数の発信者番号のうち、少なくとも１つが電話帳に登録されているか判定する判定部を含み、少なくとも１つが電話帳に登録されていると判定される場合に、未登録の発信者番号を、当該電話帳に登録済みの電話番号と対応づけて電話帳に登録することとしてもよい。
【００２２】
好ましくは、記憶部は、取得部が取得した複数の発信者番号のうち、少なくとも１つが電話帳に登録されているか判定する判定部を含み、少なくとも１つが電話帳に登録されていると判定される場合に、当該登録済みの電話番号に対応付けられた所定の情報を読み出し、その情報を用いて未登録の発信者番号の電話帳登録を受け付けることとしてもよい。
【００２３】
好ましくは、記憶部は、着信にかかる電話番号の履歴を示す着信履歴情報を記憶し、制御部は、１件の着信履歴に示される複数の電話番号のいずれかに発呼した場合に、その発呼に対する着信応答があるか判断する判断部を含み、その発呼に対する着信応答が所定時間以内になされなかったと判断された場合に、当該１件の着信履歴に示される他の電話番号に発呼先を切り替えて発呼することとしてもよい。
【００２４】
記憶部は、着信にかかる電話番号の履歴を示す着信履歴情報を記憶し、制御部は、着信履歴情報に基づくユーザの折り返し発呼操作を受け付け、その発呼時に、発呼にかかる電話番号が電話帳に登録されているものであるか判断する判断部を含み、電話帳に登録がない電話番号であると判断された場合に、電話帳に未登録の電話番号への発呼である旨の報知を行うこととしてもよい。
【００２５】
また、本発明は、第１の端末装置、第２の端末装置、第３の端末装置からなる移動体通信システムであって、第１の端末装置は、基地局を介さない近距離無線通信により第２の端末装置と通信接続され、第２の端末装置は、第３の端末装置と基地局を介した通信により通信接続され、かつ第１の端末装置と第３の端末装置との間の通信を中継するものであり、第１の端末装置は、第２の端末装置と近距離無線通信するための信号を送受信する第１の近距離無線通信部と、自端末装置の電話番号を記憶する第１の記憶部と、第１の近距離無線通信部により確立した第２の端末装置との近距離無線通信により第２の端末装置に発呼の中継を指示し、第１の近距離無線通信部により自端末装置の電話番号を第２の端末装置に送信する第１の通知制御部を備え、第２の端末装置は、第１の端末装置と近距離無線通信するための信号を送受信する第２の近距離無線通信部と、電話番号を記憶するとともに、第１の端末装置の電話番号と自端末装置の電話番号それぞれについて、発呼時に通知するか否かを示す通知設定情報を記憶する第２の記憶部と、第１の端末装置と第３の端末装置との通信を近距離無線通信により中継する場合に、通知設定情報に従って第３の端末装置への発呼時に第１の端末装置および自端末装置の発信者番号の通知を制御する第２の通知制御部を備え、第３の端末装置は、電話帳を記憶する第３の記憶部と、発呼があったとき、１の発呼にかかる制御チャネル内の所定の領域に含まれる複数の発信者番号を取得する取得部と、取得した複数の発信者番号と、記憶している電話帳とに基づいて、いずれかの発信者番号を優先して着信の報知方法を制御する制御部とを備える移動体通信システムでもある。
【００２６】
また、本発明は、第１の端末装置、第２の端末装置、第３の端末装置からなる移動体通信システムであって、第１の端末装置は、基地局を介さない近距離無線通信により第２の端末装置と通信接続され、第２の端末装置は、第３の端末装置と基地局を介した通信により通信接続されて第１の端末装置と第３の端末装置との間の通信を中継し、かつ電話番号を記憶して第１の端末装置の電話番号と自端末装置の電話番号それぞれについて発呼時に通知するか否かを示す通知設定情報を記憶する記憶部を備える移動体通信システムにおける通信中継方法であって、通信中継方法は、第１の端末装置と第２の端末装置とに近距離無線通信を確立させる近距離無線通信確立ステップと、第１の端末装置から第３の端末装置への発呼通話を第２の端末装置が中継する場合に、第３の端末装置への発呼時に通知設定情報に従って第１の端末装置および第２の端末装置の発信者番号の通知を第２の端末装置に制御させる通知制御ステップとを含む通信中継方法でもある。
【発明の効果】
【００２７】
本発明にかかる移動体通信システムでは、ある端末装置（例えば、主端末）が別の端末装置（例えば、従端末）と近距離無線通信により接続し、その別の端末装置が発呼を行って、ユーザがある端末装置を用いて音声通話する場合に、ある端末装置と別の端末装置の電話番号のうち、着信側となる端末装置にどのように電話番号を通知するかが通知設定情報により決定される。そのため、上記の状況において、通知設定情報の設定次第で所望の電話番号を着信側となる端末装置に通知できる。すなわち、本発明では、近距離無線通信を介して一方の端末装置が他方の端末装置の通話を中継する場合においても、着信側の端末装置に対し、発信者電話番号の通知をユーザの意図したとおりにすることができる。
【図面の簡単な説明】
【００２８】
【図１】本発明にかかる移動体通信システム１の構成例を示す図である。
【図２】本発明の移動体通信システムを構成する主端末１０、従端末２０、他端末５０の機能ブロック図である。
【図３】主端末１０と従端末２０とが近距離無線通信を確立し、従端末２０が主端末１０による発呼を中継する処理を示す図である。
【図４】相手方に通知する発信者番号をユーザに選択させる操作画面例および通知設定情報２５３を示す図である。
【図５】従端末２０による発呼時の制御チャネル５のデータ構造を示す図である。
【図６】他端末５０における着呼をユーザに知らせる処理を示すフローチャートである。
【図７】着信履歴情報５５４を示す図である。
【図８】他端末５０において、電話帳５５３に電話番号を登録する処理を示すフローチャートである。
【図９】他端末５０における折り返し発呼時の動作を示すフローチャートである。
【発明を実施するための形態】
【００２９】
１  全体構成
以下、本発明の移動体通信システム１について説明する。
【００３０】
図１は、本発明にかかる移動体通信システム１の構成例を示す図である。
図１に示すように、移動体通信システム１は、主端末１０と、従端末２０と、ＰＨＳ基地局３０と、ＣＤＭＡ基地局４０と、他端末５０と、無線基地局６０と、通信網７０とから構成される。通信経路７５は、主端末１０と従端末２０とが近距離無線通信により接続している時の通信経路を示す。通信経路８０は、主端末１０がＰＨＳ基地局３０を経由して通信する通信経路を示す。通信経路９０は、従端末２０が主端末１０と近距離無線通信により通信接続して主端末１０と他端末５０との通信を従端末２０が中継する場合の通信経路を示す。
【００３１】
主端末１０は、ＰＨＳ（Personal Handy-phone System）方式により通信する無線通信端末であり、ＰＨＳ基地局３０を介して他の無線通信端末や通信装置と通話やデータ通信を行う。また従端末２０と近距離無線通信可能である。詳しくは後述する。
【００３２】
従端末２０は、ＣＤＭＡ（Code Division Multiple Access）方式により通信する無線通信端末であり、ＣＤＭＡ基地局４０を介して他の無線通信端末や通信装置と通話等する。詳しくは後述する。
【００３３】
ＰＨＳ基地局３０は、ＰＨＳ方式に対応した無線基地局であり、ＰＨＳ方式に対応した無線通信端末との間で無線通信を行う一方、通信網７０の末端となり、無線通信端末間の通話や通信を中継する。
【００３４】
ＣＤＭＡ基地局４０は、ＣＤＭＡ方式に対応した無線基地局であり、無線通信端末との間で無線通信を行う一方、通信網７０の末端となり、無線通信端末間の通話や通信を中継する。
【００３５】
他端末５０は、所定の通信方式（例えばＣＤＭＡ）により通信する無線通信端末であり、基地局６０を介して他の無線通信端末と通話等する。詳しくは後述する。
【００３６】
基地局６０は、他端末５０の通信方式に対応した無線基地局であり、無線通信端末との間で無線通信を行う一方、通信網７０の末端となり、無線通信端末間の通話や通信を中継する。
【００３７】
通信網７０は、移動体通信に対応した電気通信ネットワークである。
２  各無線通信端末の構成
次に、主端末１０、従端末２０、他端末５０それぞれの無線通信端末の構成について説明する。
【００３８】
図２は、本発明の移動体通信システムを構成する主端末１０、従端末２０、他端末５０の機能ブロック図である。
【００３９】
２．１  主端末１０の構成
図２に示すように、主端末１０は、ＰＨＳ無線通信部１１と、ＰＨＳアンテナ１２と、近距離無線通信部１３と、近距離無線アンテナ１４と、制御部１５と、操作部１６と、表示部１７と、音声出力部１８と、音声入力部１９とを備える。
【００４０】
ＰＨＳ無線通信部１１は、ＰＨＳによる通信方式に対応し、ＰＨＳ基地局３０を介して他の無線通信端末やインターネットに接続されたＷｅｂサーバ等の通信装置からのデータ通信にかかる無線信号をＰＨＳアンテナ１２で受信し、受信信号に対して増幅処理やダウンコンバートを行って制御部１５に出力する。またＰＨＳ無線通信部１１は、制御部１５で生成された送信信号に対してアップコンバートや増幅処理を行って、処理後の送信信号を、ＰＨＳアンテナ１２を通じて、ＰＨＳ基地局３０を介して他の無線通信端末やインターネットに接続された通信装置に対して送信する。
【００４１】
近距離無線通信部１３は、Bluetooth（登録商標）など比較的近距離での他の無線通信端末との通信に用いられる通信プロトコルに対応し、制御部１５による制御に従って近距離無線アンテナ１４を介して電波の送受信を行う。
【００４２】
制御部１５は、ＣＰＵ（Central Processing Unit）１５１および記憶部１５２等を備えており、主端末１０の他の構成要素を制御することによって、主端末１０の動作を統括的に管理する。記憶部１５２は、ＲＯＭ（Read Only Memory）及びＲＡＭ（Random Access Memory）等で構成されている。制御部１５の各種機能は、ＣＰＵ１５１が記憶部１５２に記憶されている各種プログラムを読み出して実行することによって実現される。また、記憶部１５２には、主端末１０の電話番号など主端末１０に固有の情報を含む端末固有情報１５３が記憶されている。
【００４３】
操作部１６は、キーパッド等を備えて、ユーザからの操作を検出して制御部１５に出力する。
【００４４】
表示部１７は、ディスプレイ等を備え、制御部１５によって制御されることによって、文字、記号、図形などの各種情報を表示する。
【００４５】
音声出力部１８は、スピーカ等を備え、制御部１５からの音声データを音声に変換して外部に出力する。
【００４６】
音声入力部１９は、マイク等を備え、外部から入力される音声を音声データに変換して制御部１５に出力する。
【００４７】
図２に示すように、主端末１０は、近距離無線通信部１３により従端末２０の近距離無線通信部２３と近距離無線通信を確立することができる。
【００４８】
２．２  従端末２０の構成
図２に示すように、従端末２０は、主端末１０と共通した構成をいくつか備えている。従端末２０は、ＣＤＭＡ無線通信部２１と、ＣＤＭＡアンテナ２２と、近距離無線通信部２３と、近距離無線アンテナ２４と、制御部２５と、操作部２６と、表示部２７と、音声出力部２８と、音声入力部２９とを備える。
【００４９】
ＣＤＭＡ無線通信部２１は、ＣＤＭＡによる通信方式に対応し、ＣＤＭＡ基地局４０を介して他の無線通信端末や、インターネットに接続されたＷｅｂサーバ等の通信装置からのデータ通信にかかる無線信号をＣＤＭＡアンテナ２２で受信し、受信信号に対して増幅処理やダウンコンバートを行って制御部２５に出力する。またＣＤＭＡ無線通信部２１は、制御部２５で生成された送信信号に対してアップコンバートや増幅処理を行って、処理後の送信信号を、ＣＤＭＡ基地局４０を介してＣＤＭＡアンテナ２２を通じて、他の無線通信端末や、インターネットに接続された通信装置に対して送信する。
【００５０】
近距離無線通信部２３は、Bluetooth（登録商標）など比較的近距離での他の無線通信端末との通信に用いられる通信プロトコルに対応し、制御部２５による制御に従って近距離無線アンテナ２４を介して電波の送受信を行う。
【００５１】
制御部２５は、ＣＰＵ２５１および記憶部２５２等を備えており、従端末２０の他の構成要素を制御することによって、従端末２０の動作を統括的に管理する。記憶部２５２は、ＲＯＭ及びＲＡＭ等で構成されている。制御部２５の各種機能は、ＣＰＵ２５１が記憶部２５２に記憶されている各種プログラムを読み出して実行することによって実現される。
【００５２】
また、記憶部２５２には、通知設定情報２５３と、端末固有情報２５４とが記憶されている。詳しくは後述するが、通知設定情報２５３は、従端末２０から発呼する際に発信者番号として通知する電話番号の設定を保持している。また、端末固有情報２５４は、従端末２０の電話番号など従端末２０に固有の情報を含む。
【００５３】
操作部２６は、タッチパネル等を備えて、ユーザからの操作を検出して制御部２５に出力する。
【００５４】
表示部２７は、ディスプレイ等を備え、制御部２５によって制御されることによって、文字、記号、図形などの各種情報を表示する。
【００５５】
音声出力部２８は、スピーカ等を備え、制御部２５からの音声データを音声に変換して外部に出力する。
【００５６】
音声入力部２９は、マイク等を備え、外部から入力される音声を音声データに変換して制御部２５に出力する。
【００５７】
２．３  他端末５０の構成
図２に示すように、他端末５０は、主端末１０等と共通した構成をいくつか備えている。他端末５０は、無線通信部５１と、アンテナ５２と、制御部５５と、操作部５６と、表示部５７と、音声出力部５８と、音声入力部５９とを備える。
【００５８】
無線通信部５１は、ＣＤＭＡなど所定の通信方式に対応し、基地局６０を介して他の無線通信端末やインターネットに接続されたＷｅｂサーバ等の通信装置からの通信データにかかる無線信号をアンテナ５２で受信し、受信信号に対して増幅処理やダウンコンバートを行って制御部５５に出力する。また無線通信部５１は、制御部５５で生成された送信信号に対してアップコンバートや増幅処理を行って、処理後の送信信号を、基地局６０を介してアンテナ５２を通じて、他の無線通信端末や、インターネットに接続された通信装置に対して送信する。
【００５９】
制御部５５は、ＣＰＵ５５１および記憶部５５２を備えており、他端末５０の他の構成要素を制御することによって、他端末５０の動作を統括的に管理する。記憶部５５２は、ＲＯＭ及びＲＡＭ等で構成されている。制御部５５の各種機能は、ＣＰＵ５５１が記憶部５５２に記憶されている各種プログラムを読み出して実行することによって実現される。また、記憶部５５２には、電話帳５５３と、着信履歴情報５５４とが記憶されている。
【００６０】
電話帳５５３は、通信相手となる人物の名称や電話番号、メールアドレスなどを対応付けて保持している。
【００６１】
記憶部５５２に記憶される着信履歴情報５５４は、他端末５０への着信について、着信日時や着信にかかる発信者番号などを対応付けて保持している。詳しくは後述する。
【００６２】
操作部５６は、タッチパネル等を備えて、ユーザからの操作を検出して制御部５５に出力する。
【００６３】
表示部５７は、ディスプレイ等を備え、制御部２５によって制御されることによって、文字、記号、図形などの各種情報を表示する。
【００６４】
音声出力部５８は、スピーカ等を備え、制御部２５からの音声データを音声に変換して外部に出力する。
【００６５】
音声入力部５９は、マイク等を備え、外部から入力される音声を音声データに変換して制御部５５に出力する。
３  各端末の動作
次に、各無線通信端末の動作について説明する。
【００６６】
３．１  移動体通信システム１の動作
図３は、主端末１０と従端末２０とが近距離無線通信を確立し、従端末２０が主端末１０による発呼を中継する処理を示す図である。
【００６７】
３．１．１  発呼側の処理
主端末１０は、ユーザから所定の電話番号（ここでは他端末５０に発呼したものとする）への発呼操作を受け付けると（Ｓ３０１）、ＰＨＳ基地局３０との通信圏外であるか判定する（Ｓ３０３）。主端末１０がＰＨＳ基地局３０の通信圏内であれば、そのまま発呼処理を継続する（Ｓ３０５）。ステップＳ３０３において、主端末１０とＰＨＳ基地局３０とが通信圏外であると判定されると（Ｓ３０３：ＹＥＳ）、従端末２０との近距離無線通信を確立するため従端末２０との通信を開始する。近距離無線通信の確立には、例えばBluetooth（登録商標）など既存のプロトコルを用いることができる。主端末１０の近距離無線通信部１３と従端末２０の近距離無線通信部２３とがBluetooth（登録商標）等の所定のプロトコルに従って動作することにより、近距離無線通信が主端末１０と従端末２０との間で確立される（Ｓ３１１およびＳ３２１）。
【００６８】
所定のプロトコルに従って近距離無線通信が主端末１０と従端末２０との間で確立されると、主端末１０の制御部１５は、記憶部１５２より端末固有情報１５３のうち自端末の電話番号を読み出し、上記確立された近距離無線通信により自端末の電話番号を従端末２０へ通知する（Ｓ３１３）。例えばBluetooth（登録商標）において既存のプロファイルを用いて端末の電話番号を通信相手の端末に通知する。従端末２０は、主端末１０より送信された主端末１０の電話番号を記憶部２５２に記憶する（Ｓ３２３）。
【００６９】
従端末２０は、主端末１０による発呼を中継する際に、主端末１０と従端末２０の、どの電話番号を着信側の無線通信端末に通知すべきかを設定するために、ユーザより指定を受け付けるための処理を実施する（Ｓ３２５）。具体的には、制御部２５は、ユーザからの番号指定を受け付けるため、図４に示す番号指定受付画面４を表示部２７に表示する。
【００７０】
図４は、相手方に通知する発信者番号をユーザに選択させる操作画面例および通知設定情報２５３を示す図である。
【００７１】
図４（ａ）は、従端末２０の制御部２５が表示部２７に表示する番号指定受付画面４を示す。
【００７２】
図４（ａ）に示すように、制御部２５は、表示部２７に番号指定受付画面４を表示して、主端末１０と従端末２０の電話番号それぞれについて、着信側無線通信端末に通知すべきか否かと、通知する優先順位をユーザから受け付ける。
【００７３】
従端末２０の制御部２５は、着信側無線通信端末に対して主端末１０と従端末２０のいずれの電話番号をどのように伝えるかのユーザの指定を受け付けると、ユーザの選択結果に応じて、主端末１０および従端末２０の電話番号のうち、着信側無線通信端末に通知する電話番号、および、通知する優先順位を通知設定情報２５３として記憶部２５２に記憶させる（Ｓ３２７）。
【００７４】
ここで、図４（ｂ）は、通知設定情報２５３を示す図である。
通知設定情報２５３は、図４（ｂ）に示すように、第１通知番号２５５と第２通知番号２５６からなるレコードである。図４（ｂ）の例では、第１通知番号２５５に格納されている電話番号が、第２通知番号２５６に格納されている電話番号よりも優先順位が高いものとしている。
【００７５】
図３に戻り、従端末２０の制御部２５は、電話番号を着信側無線通信端末に通知する優先順位をユーザから受け付けて通知設定情報２５３として記憶すると（Ｓ３２７）、通知設定情報２５３に従って、１または２の電話番号を発呼の際の制御チャネル５に格納して、他端末５０へ発呼する（Ｓ３２９）。
【００７６】
３．１．２  制御チャネルのデータ構造
図５は、従端末２０による発呼時の制御チャネル５のデータ構造を示す図である。
【００７７】
図５（ａ）は、制御チャネル５のヘッダの一部を示す。発呼処理時の制御信号（制御チャネル）には、着信側無線通信端末に電話番号を通知するため、電話番号を格納可能な第１発信番号領域５３と、第２発信番号領域５４とが含まれている。第１発信番号領域５３は、通常、無線通信端末が電話番号を通知するために使用している領域である。この領域に続いて、さらに電話番号を格納する領域を設定し、この領域を第２発信番号領域５４としている（なお、制御チャネルの任意の空き領域を第２発信番号領域５４とすることもできる）。図５（ｂ）は、通知設定情報２５３に従って制御チャネルの第１発信番号領域５３および第２発信番号領域５４に電話番号が格納されている例を示す図である。
【００７８】
図３に戻り、着信側の無線通信端末である他端末５０は、通信網７０を介して従端末２０からの発呼があると、着信時の処理を実行する（Ｓ３５１）。この他端末５０のステップＳ３５１の着信時の処理について、詳しくは後述する。
【００７９】
３．２  他端末５０における着信時の処理
次に、他端末５０における着信時の処理（Ｓ３５１）の詳細を説明する。
【００８０】
他端末５０は、着信時において、制御チャネル内の第１発信番号領域５３と第２発信番号領域５４とを参照し、制御チャネルに複数の電話番号が格納されているか検出する。制御チャネル内に複数の電話番号が格納されている場合は、他端末５０は、いずれかの電話番号（例えば、第１発信番号領域５３に格納されている電話番号）を優先して着信時の処理を実行する。また、他端末５０は、他端末５０の記憶部５５２に記憶されている電話帳５５３に、着信にかかる電話番号が登録されているか否かに応じた処理、すなわち着信時に発呼側無線通信端末が通知した電話番号に応じた処理を実施する。
【００８１】
図６は、他端末５０における着呼をユーザに知らせる処理を示すフローチャートである。
【００８２】
他端末５０の制御部５５は、通信網７０、基地局６０を介して他端末５０に入力される無線信号に基づき、着信があったと検出すると、図５（ａ）に示す制御チャネルの所定エリア（第１発信番号領域５３および第２発信番号領域５４）を参照し、各々に格納されている電話番号があれば取得する（Ｓ６０１）。
【００８３】
制御部５５は、ステップＳ６０１で取得した電話番号を着信履歴情報５５４に記録する（Ｓ６０３）。ステップＳ６０１において複数の電話番号を取得した場合は、制御チャネルの第１発信番号領域５３に格納されている電話番号を、第２発信番号領域５４に格納されている電話番号よりも優先順位を高くして着信履歴情報５５４に記録する。
【００８４】
図７は、着信履歴情報５５４を示す図である。
図７に示すように、着信履歴情報５５４の１件のレコードは、着信があった日時５５５と、着信にかかる電話番号のうち、優先順位が高い第１発信者番号５５６と、複数の電話番号の通知があった場合にさらに電話番号を格納するための第２発信者番号５５７とを含む。
【００８５】
図７に示す例では、従端末２０が制御チャネルの第１発信番号領域５３に主端末１０の電話番号を格納し、第２発信番号領域５４に従端末２０の電話番号を格納して発呼したのに対応し、レコード５５４ａにおいて、第１発信者番号５５６に主端末１０の電話番号が記録され、第２発信者番号５５７に従端末２０の電話番号が記録されている。
【００８６】
３．２．１  第１の番号が電話帳５５３に登録されている場合
図６に戻り、制御部５５は、ステップＳ６０１で取得した電話番号のうち、第１発信番号領域５３に格納されている電話番号が、電話帳５５３に登録されているか判断する（Ｓ６０５）。
【００８７】
ステップＳ６０５において、電話帳５５３に登録されていると判断される場合（Ｓ６０５：ＹＥＳ）、制御部５５は、第１発信番号領域５３に格納されている電話番号を表示部５７に表示する（Ｓ６０７）。このとき、第１発信番号領域５３の電話番号と対応付けられて電話帳５５３に登録があり、その登録に対応して着信の報知方法が設定されていれば、当該報知方法に従って、着信があることを報知する（Ｓ６０９）。例えばその電話番号からの着信の報知について、所定の着信音および振動パターンが設定されていれば、その報知方法に従う。このように、第１発信番号領域５３に電話番号が格納されていれば、第２発信番号領域５４に電話番号が登録されているか否かにかかわらず第１発信番号領域５３に格納されている電話番号に応じた着信の報知方法に従う。
【００８８】
３．２．２  第２の番号が電話帳５５３に登録されている場合
ステップＳ６０５において、第１発信番号領域５３に格納されている電話番号が電話帳５５３に登録がない（Ｓ６０５：ＮＯ）場合、制御部５５は、第２発信番号領域５４に格納されている電話番号が電話帳５５３に登録されているか判断する（Ｓ６１１）。
【００８９】
ステップＳ６１１において、電話帳５５３に登録されていると判断される場合（Ｓ６１１：ＹＥＳ）、制御部５５は、第２発信番号領域５４に格納されている電話番号を表示部５７に表示する（Ｓ６１３）。このとき、第２発信番号領域５４の電話番号と対応付けられて電話帳５５３に登録があり、その登録に対応して着信の報知方法が設定されていれば、当該報知方法に従って、着信があることを報知する（Ｓ６１５）。
【００９０】
３．２．３  第１および第２の番号がいずれも電話帳５５３に登録されていない場合
ステップＳ６１１において、第２発信番号領域５４に格納されている電話番号が電話帳５５３に登録がない（Ｓ６１１：ＮＯ）場合、制御部５５は、第１発信番号領域５３に格納されている電話番号を表示部５７に表示して着信を報知する（Ｓ６１７）。
【００９１】
このようにして、他端末５０は、着信にかかる電話番号が電話帳に登録されていれば、登録に応じた着信にかかる呼び出し処理を実行し、着信にかかる電話番号のいずれもが電話帳に登録がない場合は、第１発信番号領域５３に格納された電話番号の報知を優先する。
【００９２】
制御部５５は、その後、他端末５０のユーザによる着信応答の操作を受け付けるか、タイムアウトするまで着信にかかる呼び出し処理を実行する。
【００９３】
３．３  他端末５０における電話番号登録時の動作
次に、他端末５０において、着信履歴情報５５４にある電話番号を電話帳５５３に登録する処理について説明する。この処理により、例えば、電話帳５５３に登録がなくユーザにとって未知の電話番号から着信があった場合に、ユーザがその電話番号を電話帳５５３へ登録するのを容易にする。
【００９４】
なお、着信履歴情報５５４の電話番号を電話帳５５３に登録する処理は、様々なタイミングで実施することができる。（ｉ）例えば、他端末５０に着信があり、着信通話が終了した時に、着信にかかる電話番号が電話帳５５３に未登録の場合に、ユーザに登録を促す画面を表示する。このとき、操作部５６を介して当該未登録の電話番号を電話帳５５３に登録する意思を示す操作をユーザから受け付けることで、未登録の番号の電話帳５５３への登録が開始される。（ｉｉ）また、ユーザが着信履歴情報５５４を参照した時に、過去に着信があった電話番号を電話帳５５３へ登録する場合などがある。
【００９５】
図８は、他端末５０において、電話帳５５３に電話番号を登録する処理を示すフローチャートである。図８に示す処理は、例えば、着信履歴情報５５４に記録されている電話番号をユーザが参照し、電話帳５５３に未登録の電話番号を含む任意のレコードをユーザが選択して電話帳５５３へ登録することを希望する旨の操作を行う等により起動される。
【００９６】
３．３．１  着信履歴の複数の電話番号がともに電話帳に記録されている場合
図８に基づいて説明すると、制御部５５は、着信履歴情報５５４を参照し、ユーザの選択にかかる所定のレコードの第１発信者番号５５６に示される電話番号が、電話帳５５３に登録されているか判断する（Ｓ８０１）。
【００９７】
ステップＳ８０１において第１発信者番号５５６に示される電話番号が電話帳５５３に登録されていると判断された場合（Ｓ８０１：ＹＥＳ）、制御部５５は、続いて上記所定のレコードの第２発信者番号５５７に示される電話番号が電話帳５５３に登録されているか判断する（Ｓ８０３）。
【００９８】
ステップＳ８０３において第２発信者番号５５７に示される電話番号が電話帳５５３に登録されていると判断された場合（Ｓ８０３：ＹＥＳ）、制御部５５は、第１発信者番号５５６と関連付けられて電話帳５５３に登録されている所定の情報（例えば名前、住所、メールアドレスなど）および第２発信者番号５５７と関連付けられて電話帳５５３に登録されている所定の情報を読み出して記憶部５５２に記憶させる。制御部５５は、これら読み出した所定の情報が入力された状態で、電話帳５５３への登録操作受付画面を表示部５７に表示する（Ｓ８０５）。すなわち、ユーザは、第１発信者番号５５６および第２発信者番号５５７に対応づけられて電話帳５５３に格納されている名前やメールアドレスなど所定の情報が入力された状態で電話帳５５３への登録操作を行うことができる。
【００９９】
３．３．２  着信履歴の電話番号のうち第１番号のみ登録がない場合
次に、ユーザが選択した着信履歴情報５５４の所定のレコードにおいて、第１発信者番号５５６に示される電話番号が電話帳５５３に未登録で、第２発信者番号５５７に示される電話番号が登録済みの場合について説明する。
【０１００】
ステップＳ８０１において、上記ユーザの選択にかかるレコードの第１発信者番号５５６に示される電話番号が電話帳５５３に登録されていないと判断された場合（Ｓ８０１：ＮＯ）、制御部５５は、上記選択にかかるレコードの第２発信者番号５５７に示される電話番号が電話帳５５３に登録されているか判断する（Ｓ８０７）。
【０１０１】
ステップＳ８０７において、第２発信者番号５５７に示される電話番号が電話帳５５３に登録されていると判断される場合（Ｓ８０７：ＹＥＳ）、制御部５５は、その第２発信者番号５５７に示される電話番号と関連付けられて電話帳５５３に登録されている所定の情報（名前など）を読み出して、記憶部５５２に記憶させる（Ｓ８０９）。
【０１０２】
制御部５５は、これら記憶部５５２に記憶された所定の情報が入力された状態で、電話帳５５３への登録操作を受け付けるための画面を表示部５７に表示する（Ｓ８１１）。すなわち、ユーザは、着信履歴情報５５４にある１件のレコードに２つの電話番号があって、一方が電話帳５５３に未登録で、その未登録の電話番号を登録したい場合に、もう一方の電話帳５５３に登録済みの電話番号と関連付けられて電話帳５５３に登録されている情報が入力された状態で電話帳５５３への登録操作を行うことができる。このとき、ユーザが電話帳５５３へ新規登録を選択するか、既に電話帳５５３に登録済みの電話番号のレコードに、未登録の電話番号を追加登録することもできる（上記の例では、第２発信者番号５５７に示される電話番号が登録されている電話帳５５３のレコードに、第１発信者番号５５６に示される電話番号を追加登録することもできるし、第２発信者番号５５７に示される電話番号と第１発信者番号５５６に示される電話番号とからなるレコードを電話帳５５３に新規登録することもできる）。
【０１０３】
３．３．３  着信履歴の電話番号のうち第２番号のみ登録がない場合
また、ユーザが選択した着信履歴情報５５４の所定のレコードにおいて、第２発信者番号５５７に示される電話番号が電話帳５５３に未登録で、第１発信者番号５５６に示される電話番号が登録済みの場合について説明する。この場合も、ユーザは、電話帳５５３に登録済みの一方の電話番号と関連付けられた情報を参照して、電話帳５５３に未登録の方の電話番号を電話帳５５３に登録することができる。
【０１０４】
ステップＳ８０１において、制御部５５が、上記ユーザの選択にかかるレコードの第１発信者番号５５６に示される電話番号が電話帳５５３に登録されていると判断し（Ｓ８０１：ＹＥＳ）、ステップＳ８０３において、第２発信者番号５５７に示される電話番号が電話帳５５３に登録されていないと判断したとする（Ｓ８０３：ＮＯ）。
【０１０５】
このとき、制御部５５は、その第１発信者番号５５６に示される電話番号と関連付けられて電話帳５５３に登録されている所定の情報を読み出して、第１発信者番号５５６に示される電話番号とともに記憶部５５２に記憶させる（Ｓ８１３）。
【０１０６】
制御部５５は、これら記憶部５５２に記憶された所定の情報が入力された状態で、電話帳５５３への登録操作を受け付けるための画面を表示部５７に表示する（Ｓ８１５）。すなわち、ユーザは、着信履歴情報５５４にある１件のレコードに２つの電話番号があって、第２発信者番号５５７が電話帳５５３に未登録で、その未登録の電話番号を登録したい場合に、もう一方の第１発信者番号５５６と関連付けられて電話帳５５３に登録されている情報が入力された状態で電話帳５５３への登録操作を行うことができる。
【０１０７】
３．３．４  着信履歴にかかる電話番号のいずれもが電話帳に未登録の場合
また、ユーザが選択した着信履歴情報５５４の所定のレコードにおいて、第１発信者番号５５６および第２発信者番号５５７に示される電話番号がいずれも電話帳５５３に未登録の場合について説明する。
【０１０８】
ステップＳ８０１において、制御部５５が、上記選択にかかるレコードの第１発信者番号５５６に示される電話番号が電話帳５５３に登録されていないと判断し（Ｓ８０１：ＮＯ）、ステップＳ８０７において、第２発信者番号５５７に示される電話番号が電話帳５５３に登録されていないと判断したとする（Ｓ８０７：ＮＯ）。
【０１０９】
このとき、制御部５５は、第１発信者番号５５６および第２発信者番号５５７それぞれに示される電話番号をともに入力済みの状態にして、電話帳５５３への登録操作を受け付ける画面を表示部５７に表示する（Ｓ８１７）。すなわち、ユーザは、着信履歴情報５５４にある１件のレコードに２つの電話番号があって、いずれの電話番号も電話帳５５３に登録されていない場合であっても、両方の電話番号とも入力された状態で電話帳５５３への登録操作を行うことができる。
【０１１０】
３．４  他端末５０における折り返し発呼時の動作
次に、他端末５０が着信履歴情報５５４に基づいて折り返し発呼する処理について説明する。
【０１１１】
図９は、他端末５０における折り返し発呼時の動作を示すフローチャートである。
図９に示すように、制御部５５は、ユーザが着信履歴情報５５４にある１件のレコードを選択して、そのレコードに示される第１発信者番号５５６または第２発信者番号５５７の電話番号のうちいずれへ発呼するかの操作を操作部５６を介して受け付けると、受け付けた電話番号への発呼を開始する（Ｓ９０１）。
【０１１２】
上記発呼に対する着信応答があれば（Ｓ９０３：ＹＥＳ）、制御部５５は、発呼先と通信を確立する（Ｓ９５０）。このステップＳ９５０の処理は、着信応答にかかる発呼確立処理であるため詳細な説明を省略する。
【０１１３】
制御部５５は、着信応答がない間（Ｓ９０３：ＮＯ）、発呼開始から所定時間を経過するか、発呼先の端末が圏外である旨の信号を受け付けるまで発呼を継続する（Ｓ９０５）。
【０１１４】
制御部５５は、ステップＳ９０５において、発呼開始から所定時間が経過するか、または発呼先の無線通信端末が圏外である旨の信号を受け付けると（Ｓ９０５：ＹＥＳ）、当該電話番号への発呼を終了する（Ｓ９０７）。
【０１１５】
制御部５５は、ステップＳ９０７において発呼を終了すると、ステップＳ９０１においてユーザが選択した着信履歴情報５５４のレコードのうち、ユーザが発呼先として選択した電話番号の他に電話番号が記録されているか判断する（Ｓ９０９）。すなわち、着信履歴情報５５４のうちステップＳ９０１でユーザが選択したレコードにおいて、未発呼の電話番号があるか判断する。
【０１１６】
着信履歴情報５５４のうちユーザが選択したレコードで、未だ発呼していない電話番号がなければ（Ｓ９０９：ＮＯ）、制御部５５は、発呼処理を終了する。制御部５５は、ステップＳ９０９において未だ発呼していない電話番号があれば（Ｓ９０９：ＹＥＳ）その電話番号へ切り替えて発呼を開始する（Ｓ９１１）。
【０１１７】
発呼を切り替えた後、着信応答があれば（Ｓ９１３：ＹＥＳ）、制御部５５は、発呼先と通信を確立する（Ｓ９５０）。
【０１１８】
制御部５５は、着信応答がない間（Ｓ９１３：ＮＯ）、発呼開始から所定時間を経過するか、発呼先の無線通信端末が圏外である旨の信号を受け付けるまで発呼を継続する（Ｓ９１５）。
【０１１９】
制御部５５は、ステップＳ９１５において、発呼開始から所定時間が経過するか、または発呼先の端末が圏外である旨の信号を受け付けると（Ｓ９１５：ＹＥＳ）、当該電話番号への発呼を終了する（Ｓ９１７）。
【０１２０】
＜変形例＞
（近距離無線通信の確立のタイミング）
上記の例では、図３を用いて説明したように、主端末１０が圏外であるか判定し、圏外と判定された場合に、従端末２０と近距離無線通信を確立して従端末２０を中継して他端末５０へ発呼するものとして説明した。これに限らず、近距離無線通信は任意の時期に予め確立しておいてもよい。すなわち、主端末１０は、予め従端末２０と近距離無線通信を確立し、従端末２０において予め通知設定情報２５３を設定しておくこととしてもよい。
【０１２１】
また、従端末２０において、通知設定情報２５３の設定は、従端末２０が主端末１０と近距離無線通信を確立した場合に実施しているが、これに限らない。例えば、主端末１０を従端末２０のヘッドセットとして登録する際に通知設定情報２５３の設定をユーザから受け付けることとしてもよい。
（ユーザへの着信報知方法）
なお、図６では、他端末５０における着呼をユーザに知らせる処理について説明したが、着信時に通知される電話番号に応じた着信の報知方法は様々な態様がある。
【０１２２】
例えば、ステップＳ６０７やステップＳ６１３等において、着信にかかる電話番号が電話帳５５３に登録がある場合、その登録がある電話番号を表示部５７に表示するとしているが、この電話番号の表示は必ずしも実施する必要はない。
【０１２３】
また、着信時に、制御チャネルの第１発信番号領域５３および第２発信番号領域５４のいずれかにかかわらず、通知される電話番号のいずれかが電話帳に登録されているか、またはいずれも登録されていないかで着信の報知方法を切り替えてもよい。
【０１２４】
また、着信時に、制御チャネルの第１発信番号領域５３および第２発信番号領域５４のいずれかを優先して、優先している側に格納されている電話番号が電話帳に登録されているか否かに応じて着信の報知方法を切り替えてもよい。例えば常に第１発信番号領域５３のみに基づいて電話帳５５３と照合して着信の報知を行うとしてもよい。
（折り返し発呼時の処理）
図９では、ユーザが着信履歴情報５５４に基づいて発呼を行う時に、相手側の無線通信端末から応答があるか否かで発呼先の無線通信端末を切り替える処理について説明した。こうすることで、着信があったとき、着信側のユーザは、なるべく相手側に応答することを試みることができる。
【０１２５】
折り返し発呼時の処理は、この他にも、様々な処理が考えられる。
着信履歴情報５５４の１件のレコードに複数の電話番号が含まれている場合、同一人物からの着信と予想される。この場合であっても、複数の電話番号のうち、一方は電話帳５５３に登録があっても、もう一方は登録がない可能性がある。
【０１２６】
このような場合、ユーザにとっては、片方の電話番号は電話帳５５３に登録があるため、誰からの着信であるかは判別可能である。しかし、未登録の電話番号に対し発呼することは、ユーザに不測の事態に直面させるおそれがある。例えば、ある一組のユーザ同士が同一の事業者の通話サービスを利用し、同一事業者のサービス利用者同士が無料通話可能とする。しかし、電話帳５５３に未登録の電話番号は、どの通信事業者のサービスか直ちに判明せず、通話に対し課金され、これがユーザにとって予想外である場合が想定しうる。
【０１２７】
このような場合にもユーザに注意喚起できるよう、他端末５０は、着信履歴情報５５４に基づきユーザが発呼操作を行う場合、発呼しようとする電話番号が電話帳５５３に登録されているか判断し、未登録の場合は、未登録の番号である旨、ユーザに警告する（例えば電話帳５５３に未登録の電話番号への発信であることを画面に表示する）ようしてもよい。
（近距離無線通信）
上記の実施の形態の説明では、端末間の近距離無線通信の方法として、Bluetooth（登録商標）を例にしたが、これらに限らず、赤外線通信など他の技術的手段を用いてもよい。
【０１２８】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【産業上の利用可能性】
【０１２９】
本発明は、複数の無線通信端末からなる移動体通信システムに用いることができる。
【符号の説明】
【０１３０】
１  移動体通信システム、４  番号指定受付画面、５  制御チャネル、１０  主端末、１１，２１，５１  無線通信部、１２，２２，５２  アンテナ、１３，２３  近距離無線通信部、１４，２４  近距離無線アンテナ、１５，２５，５５  制御部、１６，２６，５６  操作部、１７，２７，５７  表示部、１８，２８，５８  音声出力部、１９，２９，５９  音声入力部、２０  従端末、３０，４０，６０  基地局、５０  他端末、５３  第１発信番号領域、５４  第２発信番号領域、６０  無線基地局、７０  通信網、７５，８０，９０  通信経路、１５２，２５２，５５２  記憶部、１５３，２５４  端末固有情報、２５３  通知設定情報、２５５  第１通知番号、２５６  第２通知番号、５５３  電話帳、５５４  着信履歴情報、５５４ａ  レコード、５５５  日時、５５６  第１発信者番号、５５７  第２発信者番号。
【図１】
0005814088.tif 000002
【図２】
0005814088.tif 000003
【図３】
0005814088.tif 000004
【図４】
0005814088.tif 000005
【図５】
0005814088.tif 000006
【図６】
0005814088.tif 000007
【図７】
0005814088.tif 000008
【図８】
0005814088.tif 000009
【図９】
0005814088.tif 000010